(57)【要約】【課題】  複数ページのうちから表示するページを切り換える操作を容易にすること。【解決手段】  参加者装置は、追従モードにおいて、発表者装置によって表示されているページの画像を表示し（Ｓ２５）、書込モードにおいて、任意のページの画像を表示する表示制御部と、書込モードにおいて、手書画像を検出する手書画像検出部と、書込モードにおいて追従モードに設定する追従モード設定指示が受け付けられると、表示されているページのページ番号と、検出された手書画像とを関連付けた一時記憶データを記憶する一時記憶部と、追従モードにおいて復帰指示が受け付けられると（Ｓ３６でＹＥＳ）、一時記憶データによって特定されるページ番号のページの画像に一時記憶データによって特定される手書画像を重畳した画像を表示する復帰制御部（Ｓ３９）と、を備える。【選択図】        図８
2011248283.tif 000002
【特許請求の範囲】
【請求項１】
複数ページからなる発表用データを表示する表示装置であって、
前記発表用データを発表者装置から受信する発表用データ受信手段と、
前記発表用データに含まれる複数ページのうち前記発表者装置によって表示されているページのページ番号を前記発表者装置から受信するページ番号受信手段と、
追従モードにおいて、前記発表用データに含まれる複数ページのうち前記受信されたページ番号のページの画像を表示し、書込モードにおいて、前記発表用データに含まれる複数ページのうち任意のページの画像を表示する表示制御手段と、
書込モードにおいて、手書画像を検出する手書画像検出手段と、
書込モードにおいて追従モードに設定する追従モード設定指示が受け付けられると、前記発表用データに含まれる複数ページのうち前記追従モード設定指示が受け付けられた時点で前記表示制御手段により表示されているページのページ番号と、前記手書画像検出手段により検出された手書画像とを関連付けた一時記憶データを記憶する一時記憶手段と、
追従モードにおいて復帰指示が受け付けられると、前記発表用データに含まれる複数ページのうち前記記憶された一時記憶データによって特定されるページ番号のページの画像に前記一時記憶データによって特定される手書画像を重畳した画像を前記表示制御手段に表示させる復帰制御手段と、を備えた表示装置。
【請求項２】
前記表示制御手段は、書込モードにおいて、前記発表用データに含まれる複数ページのうち表示されているページの画像に前記手書画像検出手段により検出された手書画像を重畳して表示する、請求項１に記載の表示装置。
【請求項３】
書込モードにおいて書込指示が受け付けられると、前記発表用データに含まれる複数ページのうち前記書込指示が受け付けられた時点で前記表示制御手段により表示されているページのページ番号と、書込モードの間に前記手書画像検出手段により検出された手書画像とを関連付けた手書画像データを記憶する手書画像データ記憶手段を、さらに備えた請求項１または２に記載の表示装置。
【請求項４】
複数ページからなる発表用データを表示する表示装置で実行される表示方法であって、
前記発表用データを発表者装置から受信するステップと、
前記発表用データに含まれる複数ページのうち前記発表者装置によって表示されているページのページ番号を前記発表者装置から受信するステップと、
追従モードにおいて、前記発表用データに含まれる複数ページのうち前記受信されたページ番号のページの画像を表示し、書込モードにおいて、前記発表用データに含まれる複数ページのうち任意のページの画像を表示するステップと、
書込モードにおいて、手書画像を検出する第１表示ステップと、
書込モードにおいて追従モードに設定する追従モード設定指示が受け付けられると、前記発表用データに含まれる複数ページのうち前記追従モード設定指示が受け付けられた時点で前記表示制御手段により表示されているページのページ番号と、前記手書画像検出手段により検出された手書画像とを関連付けた一時記憶データを記憶するステップと、
追従モードにおいて復帰指示が受け付けられると、前記発表用データに含まれる複数ページのうち前記記憶された一時記憶データによって特定されるページ番号のページの画像に前記一時記憶データによって特定される手書画像を重畳した画像を表示する第２表示ステップと、を含む表示方法。
【請求項５】
前記第１表示ステップは、書込モードにおいて、前記発表用データに含まれる複数ページのうち表示されているページの画像に前記手書画像を検出するステップにおいて検出された手書画像を重畳して表示するステップを含む、請求項４に記載の表示方法。
【請求項６】
書込モードにおいて書込指示が受け付けられると、前記発表用データに含まれる複数ページのうち前記書込指示が受け付けられた時点で前記第１表示ステップにおいて表示されたページのページ番号と、書込モードの間に前記手書画像を検出するステップにおいて検出された手書画像とを関連付けた手書画像データを記憶するステップを、さらに含む請求項４または５に記載の表示方法。
【請求項７】
複数ページからなる発表用データを表示する表示装置を制御するコンピュータで実行される表示プログラムであって、
前記発表用データを発表者装置から受信するステップと、
前記発表用データに含まれる複数ページのうち前記発表者装置によって表示されているページのページ番号を前記発表者装置から受信するステップと、
追従モードにおいて、前記発表用データに含まれる複数ページのうち前記受信されたページ番号のページの画像を表示し、書込モードにおいて、前記発表用データに含まれる複数ページのうち任意のページの画像を表示する第１表示ステップと、
書込モードにおいて、手書画像を検出するステップと、
書込モードにおいて追従モードに設定する追従モード設定指示が受け付けられると、前記発表用データに含まれる複数ページのうち前記追従モード設定指示が受け付けられた時点で前記表示制御手段により表示されているページのページ番号と、前記手書画像検出手段により検出された手書画像とを関連付けた一時記憶データを記憶するステップと、
追従モードにおいて復帰指示が受け付けられると、前記発表用データに含まれる複数ページのうち前記記憶された一時記憶データによって特定されるページ番号のページの画像に前記一時記憶データによって特定される手書画像を重畳した画像を表示する第２表示ステップと、を前記コンピュータに実行させる表示プログラム。
【請求項８】
前記第１表示ステップは、書込モードにおいて、前記発表用データに含まれる複数ページのうち表示されているページの画像に前記手書画像を検出するステップにおいて検出された手書画像を重畳して表示するステップを含む、請求項７に記載の表示プログラム。
【請求項９】
書込モードにおいて書込指示が受け付けられると、前記発表用データに含まれる複数ページのうち前記書込指示が受け付けられた時点で前記第１表示ステップにおいて表示されたページのページ番号と、書込モードの間に前記手書画像を検出するステップにおいて検出された手書画像とを関連付けた手書画像データを記憶するステップを、さらに含む請求項７または８に記載の表示プログラム。
【発明の詳細な説明】
【技術分野】
【０００１】
この発明は、表示装置、表示方法および表示プログラムに関し、特に文書データを閲覧することが可能な表示装置、その表示装置で実行される表示方法および表示プログラムに関する。
【背景技術】
【０００２】
会議等において、発表者が説明用の資料の画像をプロジェクタでスクリーンに表示させるとともに、会議の参加者の手元に配置されたコンピュータにスクリーンに映し出されたページの画像と同じページの画像を表示させる会議システムが提案されている。さらに、参加者が、手元のコンピュータに説明用の資料の画像を表示させながら手書きの画像を記憶する技術が開発されている（例えば、特許文献１）。
【０００３】
しかしながら、参加者が手書きで画像を入力している最中にスクリーンに表示されるページが変更される場合があり、参加者は手書きで画像を入力する時間を確保することができないといった問題がある。また、手書きで画像を入力している最中は、スクリーンに表示されるページと異なるページの画像を表示するようにすることが考えられるが、手書きの画像を入力した後に、スクリーンに表示されるページと同じページの画像を表示させるために、そのページの画像を探さなければならず、操作が煩雑になるといった問題がある。さらに、手書きで画像を入力している途中で、スクリーンに表示されるページと同じページの画像を表示させた後に、再度元のページの画像に手書きで画像を入力する作業を、途中から継続することを望む場合がある。
【特許文献１】特開２００８−２４２３０１号公報
【発明の概要】
【発明が解決しようとする課題】
【０００４】
この発明は上述した問題を解決するためになされたもので、この発明の目的の１つは、複数ページのうちから表示するページを切り換える操作を容易にした表示装置を提供することである。
【０００５】
この発明の他の目的の１つは、複数ページのうちから表示するページを切り換える操作を容易にした表示方法を提供することである。
【０００６】
この発明のさらに他の目的の１つは、複数ページのうちから表示するページを切り換える操作を容易にした表示プログラムを提供することである。
【課題を解決するための手段】
【０００７】
この発明は上述した問題を解決するためになされたもので、この発明のある局面によれば、表示装置は、複数ページからなる発表用データを表示する表示装置であって、発表用データを発表者装置から受信する発表用データ受信手段と、発表用データに含まれる複数ページのうち発表者装置によって表示されているページのページ番号を発表者装置から受信するページ番号受信手段と、追従モードにおいて、発表用データに含まれる複数ページのうち受信されたページ番号のページの画像を表示し、書込モードにおいて、発表用データに含まれる複数ページのうち任意のページの画像を表示する表示制御手段と、書込モードにおいて、手書画像を検出する手書画像検出手段と、書込モードにおいて追従モードに設定する追従モード設定指示が受け付けられると、発表用データに含まれる複数ページのうち追従モード設定指示が受け付けられた時点で表示制御手段により表示されているページのページ番号と、手書画像検出手段により検出された手書画像とを関連付けた一時記憶データを記憶する一時記憶手段と、追従モードにおいて復帰指示が受け付けられると、発表用データに含まれる複数ページのうち記憶された一時記憶データによって特定されるページ番号のページの画像に一時記憶データによって特定される手書画像を重畳した画像を表示制御手段に表示させる復帰制御手段と、を備える。
【０００８】
この局面に従えば、追従モードにおいて、発表者装置によって表示されているページと同じページ番号のページの画像が表示される。書込モードにおいて、発表用データに含まれる複数ページのうち任意のページの画像が表示され、手書画像が検出される。このため、ユーザは、任意のページの画像が表示されているときに、手書画像を入力することができる。追従モード設定指示が受け付けられると、追従モード設定指示が受け付けられた時点で表示されているページのページ番号と、検出された手書画像とを関連付けた一時記憶データが記憶され、その後、復帰指示が受け付けられると、発表用データに含まれる複数ページのうち記憶された一時記憶データによって特定されるページ番号のページの画像に一時記憶データによって特定される手書画像を重畳した画像が表示される。このため、ユーザは、手書画像を入力している最中に、発表者装置によって表示されているページと同じページ番号のページの画像を表示させることができ、その後、復帰指示を入力することにより途中まで入力していた手書画像の入力を継続することができる。したがって、表示されるページを選択する操作を少なくすることができる。その結果、複数ページのうちから表示するページを切り換える操作を容易にした表示装置を提供することができる。
【０００９】
好ましくは、表示制御手段は、書込モードにおいて、発表用データに含まれる複数ページのうち表示されているページの画像に手書画像検出手段により検出された手書画像を重畳して表示する。
【００１０】
この局面に従えば、ユーザは手書画像を確認することができる。
【００１１】
好ましくは、書込モードにおいて書込指示が受け付けられると、発表用データに含まれる複数ページのうち書込指示が受け付けられた時点で表示制御手段により表示されているページのページ番号と、書込モードの間に手書画像検出手段により検出された手書画像とを関連付けた手書画像データを記憶する手書画像データ記憶手段を、さらに備える。
【００１２】
この局面に従えば、ユーザにより入力された手書画像を、複数ページのうちユーザにより指定されたページと関連付けることができる。
【００１３】
この発明の他の局面によれば、表示方法は、複数ページからなる発表用データを表示する表示装置で実行される表示方法であって、発表用データを発表者装置から受信するステップと、発表用データに含まれる複数ページのうち発表者装置によって表示されているページのページ番号を発表者装置から受信するステップと、追従モードにおいて、発表用データに含まれる複数ページのうち受信されたページ番号のページの画像を表示し、書込モードにおいて、発表用データに含まれる複数ページのうち任意のページの画像を表示するステップと、書込モードにおいて、手書画像を検出する第１表示ステップと、書込モードにおいて追従モードに設定する追従モード設定指示が受け付けられると、発表用データに含まれる複数ページのうち追従モード設定指示が受け付けられた時点で表示制御手段により表示されているページのページ番号と、手書画像検出手段により検出された手書画像とを関連付けた一時記憶データを記憶するステップと、追従モードにおいて復帰指示が受け付けられると、発表用データに含まれる複数ページのうち記憶された一時記憶データによって特定されるページ番号のページの画像に一時記憶データによって特定される手書画像を重畳した画像を表示する第２表示ステップと、を含む。
【００１４】
この局面に従えば、複数ページのうちから表示するページを切り換える操作を容易にした表示方法を提供することができる。
【００１５】
好ましくは、第１表示ステップは、書込モードにおいて、発表用データに含まれる複数ページのうち表示されているページの画像に手書画像を検出するステップにおいて検出された手書画像を重畳して表示するステップを含む。
【００１６】
好ましくは、書込モードにおいて書込指示が受け付けられると、発表用データに含まれる複数ページのうち書込指示が受け付けられた時点で第１表示ステップにおいて表示されたページのページ番号と、書込モードの間に手書画像を検出するステップにおいて検出された手書画像とを関連付けた手書画像データを記憶するステップを、さらに含む。
【００１７】
この発明のさらに他の局面によれば、コンピュータに実行させる表示プログラムは、複数ページからなる発表用データを表示する表示装置を制御するコンピュータで実行される表示プログラムであって、発表用データを発表者装置から受信するステップと、発表用データに含まれる複数ページのうち発表者装置によって表示されているページのページ番号を発表者装置から受信するステップと、追従モードにおいて、発表用データに含まれる複数ページのうち受信されたページ番号のページの画像を表示し、書込モードにおいて、発表用データに含まれる複数ページのうち任意のページの画像を表示する第１表示ステップと、書込モードにおいて、手書画像を検出するステップと、書込モードにおいて追従モードに設定する追従モード設定指示が受け付けられると、発表用データに含まれる複数ページのうち追従モード設定指示が受け付けられた時点で表示制御手段により表示されているページのページ番号と、手書画像検出手段により検出された手書画像とを関連付けた一時記憶データを記憶するステップと、追従モードにおいて復帰指示が受け付けられると、発表用データに含まれる複数ページのうち記憶された一時記憶データによって特定されるページ番号のページの画像に一時記憶データによって特定される手書画像を重畳した画像を表示する第２表示ステップと、を含む。
【００１８】
この局面に従えば、複数ページのうちから表示するページを切り換える操作を容易にした表示プログラムを提供することができる。
【００１９】
好ましくは、第１表示ステップは、書込モードにおいて、発表用データに含まれる複数ページのうち表示されているページの画像に手書画像を検出するステップにおいて検出された手書画像を重畳して表示するステップを含む。
【００２０】
好ましくは、書込モードにおいて書込指示が受け付けられると、発表用データに含まれる複数ページのうち書込指示が受け付けられた時点で第１表示ステップにおいて表示されたページのページ番号と、書込モードの間に手書画像を検出するステップにおいて検出された手書画像とを関連付けた手書画像データを記憶するステップを、さらに含む。
【図面の簡単な説明】
【００２１】
【図１】本発明の実施の形態の１つにおける会議システムの全体概要を示す図である。
【図２】表示装置のハードウエア構成の一例を示すブロック図である。
【図３】発表者装置である表示装置が備えるＣＰＵが有する機能の一例をＥＥＰＲＯＭに記憶されるデータとともに示す機能ブロック図である。
【図４】参加者装置である表示装置が備えるＣＰＵが有する機能の一例をＥＥＰＲＯＭに記憶されるデータとともに示す機能ブロック図である。
【図５】書込モードに設定されている参加者装置で表示される画像の一例を示す第１の図である。
【図６】書込モードに設定されている参加者装置で表示される画像の一例を示す第２の図である。
【図７】発表者側表示処理の流れの一例を示すフローチャートである。
【図８】参加者側表示処理の流れの一例を示すフローチャートである。
【図９】書込処理の流れの一例を示すフローチャートである。
【発明を実施するための形態】
【００２２】
以下、本発明の実施の形態について図面を参照して説明する。以下の説明では同一の部品には同一の符号を付してある。それらの名称および機能も同じである。したがってそれらについての詳細な説明は繰り返さない。
【００２３】
図１は、本発明の実施の形態の１つにおける会議システムの全体概要を示す図である。図１を参照して、会議システム１は、それぞれがネットワーク１０３に接続された表示装置１００，１００Ａ〜１００Ｃと、表示装置１００に接続されたプロジェクタ１０５と、ホワイトボード１０７とを含む。
【００２４】
表示装置１００，１００Ａ，１００Ｂ，１００Ｃは、表面に液晶表示装置（ＬＣＤ）と、タッチパネルとを備えている。ユーザは、ＬＣＤに表示された画像を閲覧するとともに、ペン１０１、１０１Ａ，１０１Ｂ，１０１Ｃを用いてタッチパネルに手書きの文字または図形を入力することができる。
【００２５】
ここでは、発表者が表示装置１００を操作して、プロジェクタ１０５に資料の画像をホワイトボード１０７に投影させ、参加者が表示装置１００Ａ〜１００Ｃを操作して、資料を閲覧する場合を例に説明する。また、表示装置１００，１００Ａ〜１００Ｃのうち発表者が操作する表示装置１００を発表者装置１００といい、参加者が操作する表示装置１００Ａ〜１００Ｃを参加者装置１００Ａ〜１００Ｃという。
【００２６】
ネットワーク１０３は、ローカルエリアネットワーク（ＬＡＮ）であり、接続形態は有線または無線を問わない。またネットワーク１０３は、ＬＡＮに限らず、ワイドエリアネットワーク（ＷＡＮ）、公衆交換電話網（ＰＳＴＮ）、インターネット等であってもよい。
【００２７】
なお、ここでは１つの会議室で発表する場合を例に説明するが、物理的に離れた複数の空間に参加者が存在してもよい。この場合には、別の会議室の参加者は、ホワイトボード１０７に投影された画像を見ることはできないが、自らが操作する表示装置に表示される画像で、ホワイトボード１０７に投影された画像と同じ画像を見ることができる。また、発表者の音声は、ネットワーク１０３または電話回線などを介して伝送し、スピーカから出力するようにすればよい。
【００２８】
プロジェクタ１０５は、表示装置１００とシリアル回線で接続されており、表示装置１００から受信される画像をホワイトボード１０７に投影することにより、画像をホワイトボード１０７に表示する。なお、シリアル回線に代えてネットワーク１０３を介して接続するようにしてもよい。プロジェクタ１０５は、液晶表示装置（ＬＣＤ）、レンズおよび光源を備え、外部から入力されるデータを表示する。光源から発せられる光は、液晶表示装置を透過し、レンズを介して外部に照射される。投影部から照射される光が、ホワイトボード１０７に照射されると、液晶表示装置に表示された画像を拡大した画像がホワイトボード１０７に映し出される。なお、反射率の高い面であれば、壁などを利用することができ、その場合にはホワイトボード１０７を設置する必要はない。なお、ここでは、プロジェクタ１０５を例に説明するが、ＬＣＤまたは有機ＥＬＤ等のディスプレイであってもよい。
【００２９】
表示装置１００，１００Ａ，１００Ｂ，１００Ｃのハードウエア構成は同じなので、ここでは表示装置１００を例に説明する。なお、以下の説明では、表示装置１００Ａ，１００Ｂ，１００Ｃそれぞれが有する部材には、表示装置１００が有する部材に付したのと同じ番号に英文字「Ａ」、「Ｂ」および「Ｃ」をそれぞれ付加した符号を付して説明する。
【００３０】
図２は、表示装置のハードウエア構成の一例を示すブロック図である。図２を参照して、表示装置１００は、表示装置１００の全体を制御する中央演算装置（ＣＰＵ）１１と、ＲＯＭ（Ｒｅａｄ  Ｏｎｌｙ  Ｍｅｍｏｒｙ）１３と、ＲＡＭ（Ｒａｎｄｏｍ  Ａｃｃｅｓｓ  Ｍｅｍｏｒｙ）１５と、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）１７と、画像を表示する液晶表示装置（ＬＣＤ）１９と、表示装置１００をネットワーク１０３に接続するための通信インターフェース（Ｉ／Ｆ）２１と、ユーザの操作を受け付ける操作部２３と、外部Ｉ／Ｆ２５と、を含む。
【００３１】
ＲＯＭ１３は、ＣＰＵ１１が実行するプログラム、またはそのプログラムを実行するために必要なデータを記憶する。ＲＡＭ１５は、ＣＰＵ１１がプログラムを実行する際の作業領域として用いられる。ＥＥＰＲＯＭ１７は、プログラムまたはデータ等を不揮発的に記憶する。
【００３２】
ＬＣＤ１９は、表示装置１００の上面に設けられ、ＣＰＵ１１に制御されて、画像を表示する。また、画像を表示する装置であれば、ＬＣＤ１９に代えて、有機ＥＬＤ（Ｅｌｅｃｔｒｏｌｕｍｉｎｅｓｃｅｎｃｅ  Ｄｉｓｐｌａｙ）、電子ペーパ等を用いるようにしてもよいし、それらを組み合わせるようにしてもよい。
【００３３】
操作部２３は、複数のキーと、ＬＣＤ１９の上面に設けられたタッチパネルを含み、ＬＣＤ１９とタッチパネルとを組み合わせることにより、種々の操作を受け付けることが可能である。タッチパネルは、ユーザが操作部２３を指示した位置を検出する。通信Ｉ／Ｆ２１は、表示装置１００をネットワーク１０３に接続するためのインターフェースである。ＣＰＵ１１は、通信Ｉ／Ｆ２１を介して別の表示装置１００Ａ，１００Ｂ，１００Ｃと通信し、データを送受信する。また、通信Ｉ／Ｆ２１は、ネットワーク１０３を介してインターネットに接続されたコンピュータと通信が可能である。
【００３４】
外部Ｉ／Ｆ２５は、外部の装置と通信するためのインターフェースである。ここでは、外部Ｉ／Ｆ２５は、接続された外部の装置とシリアル通信する。外部Ｉ／Ｆ２５には、プロジェクタ１０５が接続され、ＣＰＵ１１は、外部Ｉ／Ｆ２５を介してプロジェクタ１０５を制御し、プロジェクタ１０５に画像を送信し、画像を投影させる。また、外部Ｉ／Ｆ２５にＣＤ−ＲＯＭドライバが接続される場合、ＣＰＵ１１は、外部Ｉ／Ｆ２５を介してＣＤ（Ｃｏｍｐａｃｔ  Ｄｉｓｋ）−ＲＯＭ２５Ａにアクセス可能である。ＣＤ−ＲＯＭ２７には、発表用データまたはプログラムが記憶される場合があり、ＣＰＵ１１は、ＣＤ−ＲＯＭ２７に記録された発表用データを読出し、表示することが可能であり、また、ＣＤ−ＲＯＭ２７に記録されたプログラムをＲＡＭ１５にロードして実行することが可能である。
【００３５】
なお、ＣＰＵ１１が実行するプログラムは、ＣＤ−ＲＯＭ２７に記録されたプログラムに限られず、ＥＥＰＲＯＭ１７に記憶されたプログラムをＲＡＭ１５にロードして実行するようにしても良い。この場合、ネットワーク１０３に接続された他のコンピュータが、表示装置１００のＥＥＰＲＯＭ１７に記憶されたプログラムを書き換える、または、新たなプログラムを追加して書き込むようにしてもよい。さらに、表示装置１００が、ネットワーク１０３に接続された他のコンピュータからプログラムをダウンロードして、そのプログラムをＥＥＰＲＯＭ１７に記憶するようにしてもよい。ここでいうプログラムは、ＣＰＵ１１が直接実行可能なプログラムだけでなく、ソースプログラム、圧縮処理されたプログラム、暗号化されたプログラム等を含む。
【００３６】
図３は、発表者装置である表示装置が備えるＣＰＵが有する機能の一例をＥＥＰＲＯＭに記憶されるデータとともに示す機能ブロック図である。図３に示すＣＰＵ１１の機能は、ＣＰＵ１１がＲＯＭ１３、ＥＥＰＲＯＭ１７、または、ＣＤ−ＲＯＭ２７に記憶された表示プログラムを実行することにより実現される。図３を参照して、発表者装置１００が備えるＣＰＵ１１は、ユーザの操作を受け付ける操作受付部１１１と、発表用データを送信する発表用データ送信部１１５と、ＬＣＤ１９の表示を制御する表示制御部１１７と、プロジェクタ１０５を制御する外部表示制御部１１９と、表示中のページのページ番号を送信するページ番号送信部１２１と、を含む。
【００３７】
ＥＥＰＲＯＭ１７は、発表用データ１２３を記憶する。ここでは、発表用データは、複数のページからなる画像データであり、例えば、ＴＩＦＦ（Ｔａｇｇｅｄ  Ｉｍａｇｅ  Ｆｉｌｅ  Ｆｏｒｍａｔ）、ＧＩＦ（Ｇｒａｐｈｉｃ  Ｉｎｔｅｒｃｈａｎｇｅ  Ｆｏｒｍａｔ）、ＪＰＥＧ（Ｊｏｉｎｔ  Ｐｈｏｔｏｇｒａｐｈｉｃ  Ｅｘｐｅｒｔｓ  Ｇｒｏｕｐ）、ＰＤＦ（Ｐｏｒｔａｂｌｅ  Ｄｏｃｕｍｅｎｔ  Ｆｏｒｍａｔ）等のファイル形式である。また、ＣＰＵ１１が、文書作成プログラム、表計算プログラム等のアプリケーションプログラムを実行する場合には、発表用データは、ＣＰＵ１１がアプリケーションプログラムを実行して生成したデータであってもよい。要するに、発表用データは、発表者装置１００のユーザが、予めＥＥＰＲＯＭ１７に記憶させることによりＥＥＰＲＯＭ１７に記憶されたデータである。
【００３８】
操作受付部１１１は、ユーザが操作部２３に入力する操作を受け付ける。操作受付部１１１は、ユーザがファイル一覧を表示する指示を操作部２３に入力するとファイル一覧を表示する。ファイル一覧は、ＥＥＰＲＯＭ１７に記憶されたデータを識別するためのファイル名を含み、ＥＥＰＲＯＭ１７に複数のデータが記憶されている場合、複数のデータをそれぞれ識別するための複数のファイル名を含む。操作受付部１１１は、ユーザがファイル一覧に含まれるファイル名を選択する操作を操作部２３に入力すると、選択指示を発表用データ送信部１１５および表示制御部１１７に出力する。ここでは、ユーザが発表用データ１２３のファイル名を選択する操作を入力した場合を例に説明する。選択指示は、ユーザにより選択されたファイル名を含む。
【００３９】
操作受付部１１１は、ページ選択受付部１１３を含む。ページ選択受付部１１３は、操作部２３が備えるページ送りボタンがユーザにより指示されると、ページ送り信号を表示制御部１１７に出力する。一方、ページ選択受付部１１３は、操作部２３が備えるページ戻しボタンがユーザにより指示されると、ページ戻し信号を表示制御部１１７に出力する。
【００４０】
発表用データ送信部１１５は、ＥＥＰＲＯＭ１７に記憶されている複数の発表用データ１２３のうちから操作受付部１１１から入力される選択指示に含まれるファイル名で特定される発表用データ１２３をＥＥＰＲＲＯＭ１７から読み出し、読み出された発表用データを通信Ｉ／Ｆ部２１を介して参加者装置１００Ａ〜１００Ｃにそれぞれ送信する。
【００４１】
表示制御部１１７は、操作受付部１１１から選択指示が入力されると、入力された選択指示に含まれるファイル名で特定される発表用データをＥＥＰＲＯＭ１７から読み出し、読出された発表用データに含まれる複数ページのうち最初のページ番号のページの画像をＬＣＤ１９に表示する。そして、表示制御部１１７は、ページ選択受付部１１３からページ送り信号が入力されると、ページ送り信号が入力された時点に表示されているページのページ番号より１つ後の（大きい）ページ番号のページの画像をＬＣＤ１９に表示する。一方、表示制御部１１７は、ページ選択受付部１１３からページ戻し信号が入力されると、ページ戻り信号が入力された時点に表示されているページのページ番号より１つ前の（小さい）ページ番号のページの画像をＬＣＤ１９に表示する。
【００４２】
表示制御部１１７は、ＬＣＤ１９に表示しているページの画像を切り換えるごとに、切換後にＬＣＤ１９に表示しているページの画像を外部表示制御部１１９に出力するとともに、切換後にＬＣＤ１９に表示しているページのページ番号をページ番号送信部１２１に出力する。
【００４３】
ページ番号送信部１２１は、表示制御部１１７からページ番号が入力されると、表示制御部１１７から入力されるページ番号を通信Ｉ／Ｆ部２１を介して参加者装置１００Ａ〜１００Ｃそれぞれに送信する。換言すれば、ページ番号送信部１２１は、表示制御部１１７がＬＣＤ１９に表示しているページの画像を切り換えるごとに、切換後にＬＣＤ１９に表示しているページのページ番号を、参加者装置１００Ａ〜１００Ｃそれぞれに送信する。
【００４４】
外部表示制御部１１９は、プロジェクタ１０５を制御し、プロジェクタ１０５に画像を表示させる。外部表示制御部１１９は、表示制御部１１７からページの画像が入力されると、入力されたページの画像をプロジェクタ１０５に送信し、入力されたページの画像をプロジェクタ１０５に表示させる。換言すれば、外部表示制御部１１９は、表示制御部１１７がＬＣＤ１９に表示しているページの画像を切り換えるごとに、切換後にＬＣＤ１９に表示しているページの画像をプロジェクタ１０５に表示させる。このため、ＬＣＤ１９に表示される画像と、プロジェクタ１０５により表示される画像は、同じ画像が表示される。
【００４５】
図４は、参加者装置である表示装置が備えるＣＰＵが有する機能の一例をＥＥＰＲＯＭに記憶されるデータとともに示す機能ブロック図である。ここでは、参加者装置１００Ａ、１００Ｂ，１００Ｃそれぞれが有する機能は同じなので、参加者装置１００Ａが有するＣＰＵ１１Ａについて説明する。図４に示すＣＰＵ１１Ａの機能は、ＣＰＵ１１がＲＯＭ１３Ａ、ＥＥＰＲＯＭ１７Ａ、または、ＣＤ−ＲＯＭ２７に記憶された表示プログラムを実行することにより実現される。
【００４６】
図４を参照して、参加者装置である表示装置１００Ａが備えるＣＰＵ１１Ａは、ユーザの操作を受け付ける操作受付部１５１と、ＬＣＤ１９Ａを制御する表示制御部１３５と、発表用データを受信する発表用データ受信部１３１と、ページ番号を受信するページ番号受信部１３３と、手書画像を検出する手書画像検出部１４３と、手書画像データを生成する手書画像データ生成部１３７と、一時記憶データを生成する一時記憶データ生成部１３９と、表示制御部１３５を制御する復帰制御部１４１と、を含む。
【００４７】
操作受付部１５１は、追従モードおよび書込モードのうちいずれか一方にモードを設定する。追従モードは、発表用データに含まれる複数ページのうち発表者装置１００によって表示されるページと同じページ番号のページの画像を表示する動作モードであり、書込モードは、ユーザが手書きした画像を受け付け、受け付けられた手書画像と、発表用データに含まれる複数ページのうち任意のページとを関連付ける動作モードである。
【００４８】
操作受付部１５１は、書込指示受付部１５１と、書込モード設定受付部１５３と、追従モード設定受付部１５５と、ページ選択受付部１１３Ａと、復帰指示受付部１５７と、を含む。
【００４９】
追従モード設定受付部１５５は、書込モードに設定されているときに、ユーザが操作部２３Ａに予め設けられた追従モード設定ボタンを指示すると、操作部２３Ａから追従モード設定指示を受け付ける。追従モード設定受付部１５５は、追従モード設定指示を受け付けると、追従モードに設定するとともに、追従モード設定信号を表示制御部１３５および一時記憶データ生成部１３９に出力する。
【００５０】
書込モード設定受付部１５３は、追従モードに設定されているときに、ユーザが操作部２３Ａに予め設けられた書込モード設定ボタンを指示すると、操作部２３Ａから書込モード設定指示を受け付ける。書込モード設定受付部１５３は、書込モード設定指示を受け付けると、書込モードに設定するとともに、書込モード設定信号を表示制御部１３５に出力する。
【００５１】
書込指示受付部１５１は、書込モードに設定されているときに、ユーザが操作部２３Ａに予め設けられた書込ボタンを指示すると、操作部２３Ａから書込指示を受け付ける。書込指示受付部１５１は、書込指示を受け付けると、書込信号を手書画像データ生成部１３７に出力する。
【００５２】
復帰指示受付部１５７は、追従モードに設定されているときにユーザが操作部２３Ａに予め設けられた復帰ボタンを指示すると、操作部２３Ａから復帰指示を受け付ける。復帰ボタンは、ＥＥＰＲＯＭ１７Ａに後述する一時記憶データ１６５が記憶されていることを条件に有効になる。ここでは、復帰指示受付部１５７は、追従モードに設定されているときに、ＥＥＰＲＯＭ１７Ａに一時記憶データ１６５が記憶されている場合に、復帰ボタンをＬＣＤ１９に表示するが、一時記憶データ１６５が記憶されていない場合は、復帰ボタンをＬＣＤ１９に表示しない。復帰指示受付部１５７は、操作部２３から復帰指示を受け付けると、書込モードに設定するとともに、復帰制御部１４１に復帰信号を出力する。
【００５３】
発表用データ受信部１３１は、通信Ｉ／Ｆ部２１Ａを制御して、発表者装置１００により送信された発表用データを受信する。発表用データ受信部１３１は、受信された発表用データをＥＥＰＲＯＭ１７Ａに記憶する。これにより、ＥＥＰＲＯＭ１７Ａに発表用データ１６１が記憶される。
【００５４】
ページ番号受信部１３３は、通信Ｉ／Ｆ部２１Ａを制御して、発表者装置１００が送信するページ番号を受信する。ページ番号受信部１３３は、受信されたページ番号を表示制御部１３５に出力する。
【００５５】
以下、ＣＰＵ１１Ａの動作を、追従モードおよび書込モードに分けて説明する。
【００５６】
＜追従モードにおける動作＞
表示制御部１３５は、ＥＥＰＲＯＭ１６１に記憶されている発表用データ１６１をＥＥＰＲＯＭ１７Ａから読出し、読み出された発表用データに含まれる複数のページのうち、ページ番号受信部１３３から入力されたページ番号で特定されるページの画像をＬＣＤ１９Ａに表示する。換言すれば、表示制御部１３５は、発表者装置１００Ａから受信される発表用データに含まれる複数ページのうち発表者装置１００Ａにより表示されているページの画像と同じ画像を表示する。
【００５７】
＜書込モードにおける動作＞
ページ選択受付部１１３Ａは、操作部２３が備えるページ送りボタンがユーザにより指示されると、ページ送り信号を表示制御部１１７および手書画像検出部１４３に出力する。また、ページ選択受付部１１３は、操作部２３が備えるページ戻しボタンがユーザにより指示されるごとに、ページ戻し信号を表示制御部１１７および手書画像検出部１４３に出力する。
【００５８】
表示制御部１３５は、ＥＥＰＲＯＭ１６１に記憶されている発表用データ１６１をＥＥＰＲＯＭ１７Ａから読出し、読み出された発表用データ１６１に含まれる複数のページのうちユーザにより指示されたページの画像をＬＣＤ１９Ａに表示する。追従モードから書込モードに設定が切り換えられる場合、切り換え前の追従モードにおいて表示されていたページの画像を継続して表示する。なお、追従モードから書込モードに設定が切り換えられる場合、任意のページの画像を表示するようにしてもよい。
【００５９】
表示制御部１３５は、ページ選択受付部１１３Ａからページ送り信号が入力されると、ページ送り信号が入力された時点に表示されているページのページ番号より１つ後のページ番号のページの画像をＬＣＤ１９Ａに表示する。一方、表示制御部１３５は、ページ選択受付部１１３からページ戻し信号が入力されると、ページ戻り信号が入力された時点に表示されているページのページ番号より１つ前のページ番号のページの画像をＬＣＤ１９Ａに表示する。表示制御部１３５は、発表用データ１６１に含まれる複数のページのうち表示しているページのページ番号を、手書画像データ生成部１３７、一時記憶データ生成部１３９に出力する。
【００６０】
手書画像検出部１４３は、ユーザが操作部２３の備えるタッチパネルに手書きした手書画像を検出する。具体的には、手書画像検出部１４３は、ユーザが操作部２３の備えるタッチパネルを指示すると、指示された位置を示す位置情報が操作部２３から入力される。手書画像検出部１４３は、すべての画素の値を「０」とする手書画像の操作部２３から入力された位置情報で特定される画素の値を「１」とすることにより手書画像を検出する。手書画像検出部１４３は、操作部２３から位置情報が入力されるごとに、手書画像を更新する。手書画像検出部１４３は、検出された手書画像を手書画像データ生成部１３７、表示制御部１３５および一時記憶データ生成部１３９に出力する。
【００６１】
手書画像検出部１４３は、ページ選択受付部１１３Ａからページ送り信号またはページ戻し信号が入力されると、換言すれば、表示制御部１３５により表示される画像が切り換えられると、手書画像を初期化する。手書画像の初期化は、例えば、手書画像のすべての画素の値を「０」にする。
【００６２】
表示制御部１３５は、手書画像検出部１４３から手書画像が入力されると、入力された手書画像を、手書画像検出部１４３から手書画像が入力された時点で表示されているページの画像に重畳して表示する。
【００６３】
手書画像データ生成部１３７は、書込指示受付部１５１から書込信号が入力されることに応じて、手書画像データを生成し、生成された手書画像データをＥＥＰＲＯＭ１７Ａに記憶する。これにより、ＥＥＰＲＯＭ１７Ａに手書画像データ１６３が記憶される。手書画像データは、書込信号が入力された時点で表示制御部１３５により表示されているページのページ番号と、手書画像検出部１４３から入力される手書画像とを関連付けたデータである。
【００６４】
なお、表示制御部１３５は、表示するページの画像を切り換えるごとに、ＥＥＰＲＯＭ１７Ａに記憶された手書画像データ１６３を参照して、切り換え後のページのページ番号と関連付けられた手書画像が存在すれば、その手書画像を、切り換え後のページの画像に重畳して表示するようにしてもよい。これにより、過去に書き込まれた手書画像を表示されるページに対応して表示することができる。
【００６５】
一時記憶データ生成部１３９は、追従モード設定受付部１５５から追従モード設定信号が入力されることに応じて、手書画像検出部１４３から入力された手書画像と表示制御部１３５により表示されているページのページ番号とを関連付けた一時記憶データを生成し、生成された一時記憶データをＥＥＰＲＯＭ１７Ａに記憶する。これにより、ＥＥＰＲＯＭ１７Ａに一時記憶データ１６５が記憶される。
【００６６】
復帰制御部１４１は、復帰指示受付部１５７から復帰信号が入力されると、ＥＥＰＲＯＭ１７Ａに記憶された一時記憶データ１６５を読み出し、読み出された一時記憶データ１６５に含まれる手書画像およびページ番号を表示制御部１３５に出力する。復帰制御部１４１は、一時記憶データ１６５に含まれる手書画像およびページ番号を表示制御部１３５に出力した後に、一時記憶データ１６５をＥＥＰＲＯＭ１７Ａから消去する。
【００６７】
表示制御部１３５は、復帰制御部１４１からページ番号および手書画像が入力されると、発表用データに含まれる複数のページのうち入力されたページ番号で特定されるページの画像をＬＣＤ１９Ａに表示し、入力された手書画像を表示したページの画像に重畳して表示する。このため、表示制御部１３５は、追従モードに設定される直前の書込モードに設定されていたときに、ＬＣＤ１９Ａに表示されていた画像と同じ画像を表示する。このため、ユーザは、書込モードに設定して手書きしていた途中に、追従モードに設定して発表者が発表しているページと同じページの画像を表示させた後、復帰指示を入力するだけで、書込モードにおいて手書きしていたページの画像と手書画像とが表示される。このように、ユーザは、操作部２３に予め設けられた復帰ボタンを指示する簡単な操作で、手書画像を継続して入力することができる。
【００６８】
図５は、書込モードに設定されている参加者装置で表示される画像の一例を示す第１の図である。図５を参照して、参加者装置１００Ａで表示される画像は、発表用データの第Ｎページ目（Ｎは正の整数）の画像に、手書画像１７１を重畳した画像である。手書画像１７１は、「デフレ」の文字列の画像を含む。なお、図中の点線は、説明のために付したもので、実際には存在しない。図５に示した画像が表示されている状態で、操作部２３が備える追従モード設定ボタンが指示されると、手書画像１７１とページ番号「Ｎ」とを関連付けた一時記憶データ１６５がＥＥＰＲＯＭ１７Ａに記憶され、参加者装置１００Ａには、発表者装置１００で表示されているページの画像が表示される。その後、参加者装置において、操作部２３が備える復帰ボタンが指示されると、再度図５に示した画像と同じ画像が表示される。
【００６９】
図６は、書込モードに設定されている参加者装置で表示される画像の一例を示す第２の図である。図６に示す画像は、参加者装置１００Ａにおいて、操作部２３が備える復帰ボタンが指示されて図５に示した画像が表示された後に、手書き文字を継続して入力した状態を示している。ここでは、図５に示した画像に含まれる手書画像１７１が「デフレ」を含んでいたが、手書画像１７１に追加して「が原因」の文字列を追加した場合を示している。図６に示す画像は、図５に示した画像に含まれていたのと同じページに画像と、手書画像１７３を含む。手書画像は、「デフレが原因」の文字列の画像を含む。図６に示した画像が表示されている状態で、参加者が操作部２３Ａの備える書込ボタンを指示すると、手書画像１７３とページ番号「Ｎ」とを関連付けた手書画像データ１６３がＥＥＰＲＯＭ１７Ａに記憶される。
【００７０】
図７は、発表者側表示処理の流れの一例を示すフローチャートである。発表者側表示処理は、発表者装置１００が備えるＣＰＵ１１が、ＲＯＭ１３またはＥＥＰＲＯＭ１７に記憶された発表者側表示プログラムを実行することにより、ＣＰＵ１１により実行される処理である。発表者側表示プログラムは、表示プログラムの一部である。
【００７１】
図７を参照して、ＣＰＵ１１は、発表用データの選択を受け付ける（ステップＳ０１）。次のステップＳ０２においては、ステップＳ０１において選択された発表用データ１２３をＥＥＰＲＯＭ１７から読み出し、処理をステップＳ０３に進める。ステップＳ０３においては、ステップＳ０２において読み出された発表用データ１２３を参加者装置１００Ａ〜１００Ｃそれぞれに送信し、処理をステップＳ０４に進める。具体的には、ＣＰＵ１１は、発表用データを通信Ｉ／Ｆ２１を介して参加者装置１００Ａ〜１００Ｃそれぞれに送信する。
【００７２】
ステップＳ０４においては、ステップＳ０２において読み出された発表用データの最初のページの画像をＬＣＤ１９に表示し、処理をステップＳ０５に進める。ステップＳ０５においては、ＬＣＤ１９に表示されているページのページ番号を参加者装置１００Ａ〜１００Ｃそれぞれに送信する。ステップＳ０４において表示された発表用データの最初のページのページ番号が参加者装置１００Ａ〜１００Ｃそれぞれに送信される。
【００７３】
ステップＳ０６においては、ページを送る操作を受け付けたか否かを判断する。ページを送る操作を受け付けたならば処理をステップＳ０７に進めるが、そうでなければ処理をステップＳ０９に進める。
【００７４】
ステップＳ０７においては、表示されているページが最後のページか否かを判断する。表示されているページが最後のページならば処理をステップＳ１３に進めるが、そうでなければ処理をステップＳ０８に進める。ステップＳ０８においては、表示されているページよりもページ番号が１つ後のページの画像をＬＣＤ１９に表示し、処理をステップＳ１２に進める。ステップＳ１２においては、ステップＳ０８から処理が進む場合、ステップＳ０８において表示されたページのページ番号を参加者装置１００Ａ〜１００Ｃそれぞれに送信する。
【００７５】
一方、ステップＳ０９においては、ページを戻す操作を受け付けたか否かを判断する。ページを戻す操作を受け付けたならば処理をステップＳ１０に進めるが、そうでなければ処理をステップＳ１３に進める。ステップＳ１０においては、表示されているページが最初のページか否かを判断する。表示されているページが最初のページならば処理をステップＳ１３に進めるが、そうでなければ処理をステップＳ１１に進める。ステップＳ１１においては、表示されているページよりもページ番号が１つ前のページの画像をＬＣＤ１９に表示し、処理をステップＳ１２に進める。ステップＳ１２においては、ステップＳ１１から処理が進む場合、ステップＳ１１において表示されたページのページ番号を参加者装置１００Ａ〜１００Ｃそれぞれに送信する。
【００７６】
ステップＳ１３においては、終了指示を受け付けたか否かを判断する。終了指示を受け付けたならば発表者側表示処理を終了するが、そうでなければ処理をステップＳ０６に戻す。ステップＳ０６〜ステップＳ１３の処理は、ステップＳ１３において終了指示を受け付けるまで繰り返され、表示されるページが切り換えられるごとに、切換後に表示されるページのページ番号が参加者装置１００Ａ、１００Ｂ，１００Ｃそれぞれに送信される。
【００７７】
図８は、参加者側表示処理の流れの一例を示すフローチャートである。参加者側表示処理は、参加者装置１００Ａ、１００Ｂ，１００Ｃが備えるＣＰＵ１１Ａ、１１Ｂ，１０１Ｃそれぞれが、ＲＯＭ１３Ａ，１３Ｂ，１３ＣまたはＥＥＰＲＯＭ１７Ａ、１７Ｂ，１７Ｃに記憶された参加者側表示プログラムを実行することにより、ＣＰＵ１１Ａ、１１Ｂ，１０１Ｃにより実行される処理である。参加者側表示プログラムは、表示プログラムの一部である。ここでは、参加者装置１００Ａが備えるＣＰＵ１１Ａが参加者側表示プログラムを実行する場合を例に説明する。
【００７８】
図８を参照して、ＣＰＵ１１Ａは、追従モードに設定し（ステップＳ２１）、処理をステップＳ２２に進める。ステップＳ２２においては、発表用データを受信したか否かを判断する。通信Ｉ／Ｆ２１が発表者装置１００から発表用データを受信したならば発表用データを受信したと判断する。発表用データを受信するまで待機状態となり（ステップＳ０２でＮＯ）、発表用データを受信したならば処理をステップＳ２３に進める。ステップＳ２３においては、ステップＳ２２において受信された発表用データをＥＥＰＲＯＭ１７Ａに記憶し、処理をステップＳ２３に進める。これにより、ＥＥＰＲＯＭ１７Ａに発表用データ１６３が記憶される。
【００７９】
ステップＳ２４においては、ページ番号を受信したか否かを判断する。通信Ｉ／Ｆ２１が発表者装置１００からページ番号を受信したならばページ番号を受信したと判断する。ページ番号は、発表者装置１００が表示しているページのページ番号である。ページ番号を受信したならば処理をステップＳ２５に進めるが、そうでなければステップＳ２５をスキップして処理をステップＳ２６に進める。
【００８０】
ステップＳ２５においては、ＥＥＰＲＯＭ１７Ａに記憶された発表用データ１６１に含まれる複数ページのうち、受信されたページ番号のページの画像をＬＣＤ１９Ａに表示し、処理をステップＳ２６に進める。
【００８１】
ステップＳ２６においては、書込モード設定指示を受け付けたか否かを判断する。操作部２３が備える書込モード設定ボタンの押下を検出したならば書込モード設定指示を受け付ける。書込モード設定指示を受け付けたならば処理をステップＳ２７に進めるが、そうでなければ処理をステップＳ３６に進める。
【００８２】
ステップＳ２７においては、書込処理を実行し、処理をステップＳ２８に進める。書込処理の詳細は後述する。ステップＳ２８においては、追従モード設定指示を受け付けたか否かを判断する。操作部２３が備える追従モード設定ボタンの押下を検出したならば追従モード設定指示を受け付ける。追従モード設定指示を受け付けたならば処理をステップＳ２９に進めるが、そうでなければ処理をステップＳ２７に戻す。したがって、書込処理は、書込モード設定指示が受け付けられてから次に追従モード設定指示が受け付けられるまで実行される。
【００８３】
ステップＳ２９においては、手書画像が存在するか否かを判断する。ステップＳ２７において実行される書込処理において、手書画像が検出されているならば手書画像が存在すると判断する。手書画像が存在するならば処理をステップＳ３０に進めるが、手書画像が存在しなければ処理をステップＳ３２に進める。
【００８４】
ステップＳ３０においては、一時記憶データを生成する。具体的には、ステップＳ２９において検出された手書画像とＬＣＤ１９Ａに表示されているページのページ番号とを含む一時記憶データを生成する。ＬＣＤ１９Ａに表示されているページは、ステップＳ２７で実行される書込処理において決定され、参加者装置１００Ａを操作する参加者により任意に決定されるページである。
【００８５】
次のステップＳ３１においては、ステップＳ３０において生成された一時記憶データをＥＥＰＲＯＭ１７Ａに記憶し、処理をステップＳ３２に進める。ステップＳ３２においては、手書画像を消去し、処理をステップＳ３３に進める。手書画像をステップＳ２７において実行される書込処理が実行されている間だけ有効にするためである。ステップＳ３３においては、追従モードに設定し、処理をステップＳ３４に進める。
【００８６】
ステップＳ３４においては、発表者装置１００から送信されるページ番号を取得する。そして、ステップＳ３４において取得されたページ番号のページの画像をＬＣＤ１９Ａに表示し（ステップＳ３５）、処理をステップＳ２６に戻す。具体的には、ステップＳ２３においてＥＥＰＲＯＭ１７Ａに記憶された発表用データ１６１を読み出し、読み出された発表用データ１６１に含まれる複数ページのうち、ステップＳ３４において取得されたページ番号で特定されるページの画像を表示する。
【００８７】
一方、ステップＳ３６においては、復帰指示を受け付けたか否かを判断する。操作部２３が備える復帰ボタンの押下を検出したならば復帰指示を受け付ける。復帰指示を受け付けたならば処理をステップＳ３７に進めるが、そうでなければ処理をステップＳ２４に戻す。
【００８８】
ステップＳ３７においては、一時記憶データ１６５がＥＥＰＲＯＭ１７Ａに記憶されているか否かを判断する。一時記憶データ１６５がＥＥＰＲＯＭ１７Ａに記憶されているならば処理をステップＳ３８に進めるが、そうでなければ処理をステップＳ２７に進める。すなわち、一時記憶データ１６５がＥＥＰＲＯＭ１７Ａに記憶されていることを条件に、ステップＳ３８〜ステップＳ４０の処理が実行される。
【００８９】
ステップＳ３８においては、ＥＥＰＲＯＭ１７Ａに記憶された発表用データに含まれる複数ページのうちから、一時記憶データ１６５に含まれるページ番号で特定されるページの画像をＬＣＤ１９Ａに表示する。次のステップＳ３９においては、ＥＥＰＲＯＭ１７Ａに記憶されている一時記憶データ１６５に含まれる手書画像を、ＬＣＤ１９Ａに表示されているページの画像に重畳して表示する。次のステップＳ４０においては、ＥＥＰＲＯＭ１７Ａに記憶されている一時記憶データ１６５を消去し、処理をステップＳ２７に進める。復帰指示が受け付けられた後、１回に限って一時記憶データ１６５を有効にするためである。一時記憶データ１６５は、復帰指示が受け付けられなければＥＥＰＲＯＭ１７Ａから消去されないので、書込モードに設定されている場合に、復帰指示が受け付けられる場合であっても、ＥＥＰＲＯＭ１７Ａに一時記憶データ１６５が記憶されていれば、ステップＳ３８〜ステップＳ４０の処理が実行される。
【００９０】
なお、図８に示した参加者側表示処理においては、ユーザが終了指示を入力することにより、割り込みを発生させ、参加者側表示処理を終了する。終了指示は、発表者装置１００から送信されるようにしてもよいし、参加者装置１００Ａを操作する参加者が参加者装置１００Ａに入力するようにしてもよい。
【００９１】
図９は、書込処理の流れの一例を示すフローチャートである。書込処理は、図８に示したステップＳ２７において実行される処理である。図９を参照して、ＣＰＵ１１Ａは、手書画像を検出したか否かを判断する（ステップＳ４１）。手書画像を検出したならば処理をステップＳ４１に進めるが、そうでなければ処理をステップＳ４３に進める。
【００９２】
ステップＳ４２においては、ステップＳ４１において検出された手書画像を、ＬＣＤ１９Ａに表示されている画像に重畳して表示する。
【００９３】
ステップＳ４３においては、書込指示を受け付けたか否かを判断する。操作部２３Ａが備える書込ボタンの押下を検出したならば書込モード設定指示を受け付ける。書込指示を受け付けたならば処理をステップＳ４４に進めるが、そうでなければ処理をステップＳ４６に進める。
【００９４】
ステップＳ４４においては、手書画像データを生成する。ステップＳ４１において検出された手書画像とＬＣＤ１９Ａに表示されているページのページ番号とを含む手書画像データを生成する。ＬＣＤ１９Ａに表示されている画像は、追従モードから書込モードに切り換えられた直後は、追従モードにおいて表示されていたページの画像、換言すれば、発表者装置１００で表示されているページと同じページの画像であり、書込モードに設定された後は、後述するステップＳ４６において、操作者である参加者により指示されたページの画像である。次のステップＳ４５においては、ステップＳ４４において生成された手書画像データをＥＥＰＲＯＭ１７Ａに記憶し、処理を参加者側表示処理に戻す。
【００９５】
一方、ステップＳ４６においては、ページ切換指示を受け付けたか否かを判断する。ページ切換指示を受け付けたならば処理をステップＳ４７に進めるが、そうでなければ処理をステップＳ５３に進める。操作部２３Ａが備えるページ送りボタンまたはページ戻しボタンの押下を検出したならばページ切換指示を受け付ける。
【００９６】
ステップＳ４７においては、切換後のページの画像を読み出す。ＥＥＰＲＯＭ１７Ａに記憶されている発表用データ１６１に含まれる複数ページのうち、ページ切換指示により特定されるページの画像を読み出す。具体的には、ページ送りボタンの押下を検出した場合は、それまで表示されているページより後のページ番号のページを特定し、ページ戻しボタンが指示される場合は、それまで表示されているページより前のページ番号のページを特定する。次のステップＳ４８においては、ＬＣＤ１９Ａに表示されている手書画像を消去し、処理をステップＳ４９に進める。１ページに１つの手書画像を対応付けるためである。ＬＣＤ１９Ａに表示されるページの画像が切り換えられるタイミングで、手書画像を消去する。
【００９７】
ステップＳ４９においては、ステップＳ４７において読み出されたページの画像をＬＣＤ１９Ａに表示し、処理をステップＳ５０に進める。ステップＳ５０においては、表示されているページのベー時番号を含む手書画像データがＥＥＰＲＯＭ１７Ａに記憶されているか否かを判断する。手書画像データがＥＥＰＲＯＭ１７Ａに記憶されているならば処理をステップＳ５１に進めるが、記憶されていなければ処理を参加者側表示処理に戻す。具体的には、ステップＳ４７において表示されたページのページ番号を含む手書画像データ１６３がＥＥＰＲＯＭ１７Ａに記憶されているか否かを判断する。
【００９８】
ステップＳ５１においては、ステップＳ４７において表示されたページのページ番号を含む手書画像データ１６３をＥＥＰＲＯＭ１７Ａから読出す。次のステップＳ５１においては、ステップＳ５１において読出された手書画像データ１６３に含まれる手書画像を、ＬＣＤ１９Ａに表示されているページの画像に重畳して表示し、処理を参加者側表示処理に戻す。
【００９９】
ステップＳ５３においては、復帰指示を受け付けたか否かを判断する。操作部２３Ａが備える復帰ボタンの押下を検出したならば復帰指示を受け付ける。復帰指示を受け付けたならば処理をステップＳ５４に進めるが、そうでなければ処理を参加者側表示処理に戻す。
【０１００】
ステップＳ５４〜ステップＳ５７の処理は、図８のステップＳ３７〜ステップＳ４０の処理とそれぞれ同じである。したがって、ここでは説明を繰り返さない。
【０１０１】
以上説明したように本実施の形態における参加者装置１００Ａは、発表用データを発表者装置１００から受信し、追従モードにおいて、発表者装置１００によって表示されているページと同じページ番号のページの画像を表示する。また、参加者装置１００Ａは、書込モードにおいて、発表用データに含まれる複数ページのうち任意のページの画像を表示し、手書画像を検出する。このため、ユーザは、発表用データの任意のページの画像を表示させているときに、手書画像を入力することができる。また、参加者装置１００は、追従モード設定指示が受け付けると、追従モード設定指示を受け付けた時点で表示されているページのページ番号と、検出された手書画像とを関連付けた一時記憶データ１６５をＥＥＰＲＯＭ１７Ａに記憶し、その後、復帰指示を受け付けると、発表用データ１６１に含まれる複数ページのうち記憶された一時記憶データによって特定されるページ番号のページの画像に一時記憶データ１６５によって特定される手書画像を重畳した画像を表示する。このため、ユーザは、手書画像を入力している最中に、発表者装置１００によって表示されているページと同じページ番号のページの画像を表示させることができるとともに、その後、復帰指示を入力することにより途中まで入力していた手書画像の入力を継続することができる。したがって、表示されるページを選択する操作を少なくすることができる。
【０１０２】
また、参加者装置１００Ａは、書込モードにおいて、発表用データ１６１に含まれる複数ページのうち表示されているページの画像に手書画像を重畳して表示するので、ユーザは手書画像を確認することができる。
【０１０３】
さらに、参加者装置１００Ａは、書込モードにおいて書込指示を受け付けると、発表用データに含まれる複数ページのうち書込指示が受け付けられた時点で表示されているページのページ番号と、書込モードの間に検出された手書画像とを関連付けた手書画像データ１６３をＥＥＰＲＯＭ１７Ａに記憶する。このため、ユーザにより入力された手書画像を、複数ページのうちユーザにより指定されたページと関連付けることができる。
【０１０４】
なお、上述した実施の形態においては、書込みモードおよび追従モードのいずれかにモードを設定するユーザによる操作は、書込モード設定ボタン、追従モード設定ボタンおよび復帰ボタンのいずれかを押下する操作に限定されるものではない。例えば、操作部２３に含まれるタッチパネルをペン等で触れる操作であってもよい。特に、追従モードに設定されている場合、ユーザがペン１０１Ａ等で書き込みしようとしたときに自動的に書込モードに設定するようにしてもよい。ユーザがペン１０１Ａ等で書き込みしようとしたときは、操作部２３に含まれるタッチパネルがペン１０１Ａ等による指示を検出したときとすればよい。
【０１０５】
また、表示装置の一例として参加者装置１００Ａを例に説明したが、図８および図９に示した処理を参加者装置１００Ａに実行させる表示方法、およびその表示方法を参加者装置１００Ａを制御するＣＰＵ１１Ａに実行させる表示プログラムとして発明を捉えることができるのは言うまでもない。
【０１０６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０７】
１  会議システム、１１  ＣＰＵ、１３  ＲＯＭ、１５  ＲＡＭ、１７  ＥＥＰＲＯＭ、１９  ＬＣＤ、２１  通信Ｉ／Ｆ、２３  操作部、２５  外部Ｉ／Ｆ、２７  ＣＤ−ＲＯＭ、１００，１００Ａ，１００Ｂ，１００Ｃ  表示装置、１０１，１０１Ａ，１０１Ｂ，１０１Ｃ  ペン、１０３  ネットワーク、１０５  プロジェクタ、１０７  ホワイトボード、１１１  操作受付部、１１３，１１３Ａ  ページ選択受付部、１１５  発表用データ送信部、１１７  表示制御部、１１９  外部表示制御部、１２１  ページ番号送信部、１２３，１６１  発表用データ、１３１  発表用データ受信部、１３３  ページ番号受信部、１３５  追従モード設定受付部、１３７  書込モード設定受付部、１３９  書込指示受付部、１４１  復帰指示受付部、１４３  手書画像検出部、１４５  手書画像データ生成部、１４７  一時記憶データ生成部、１４９  復帰制御部、１５１  操作受付部、１５３  表示制御部、１６３  手書画像データ、１６５  一時記憶データ。
【図１】
2011248283.tif 000003
【図２】
2011248283.tif 000004
【図３】
2011248283.tif 000005
【図４】
2011248283.tif 000006
【図５】
2011248283.tif 000007
【図６】
2011248283.tif 000008
【図７】
2011248283.tif 000009
【図８】
2011248283.tif 000010
【図９】
2011248283.tif 000011